(57)【要約】ＤＶＤケース（１）は、一体型の一部品成形プラスチック構造を有する。リテーナ（１５）は、ＤＶＤとその中央孔の両側部で係合するためのリップ（３３）を有する２つの対向するリテーナ部分（３２）を有する。ＤＶＤは、リテーナ部分を共により近付けるように動かすことによって開放される。しかし、それらをユーザは直接押す必要が無い。ユーザは、単に座部の縁にある押しボタンを（２０）を押して、一体成形されたリリース機構（１６、１７）により生じる単一の動作でリテーナ部分（３２）を一緒に動かすだけである。
2005502552.tif 000002
【特許請求の範囲】
【請求項１】
中央孔を有する型式のディスク状物品を保持するためのケースであって、
ディスク状物品を保持するための座部を有し、前記座部が物品にその中央孔で係合するための手段を有する中央リテーナからなるハウジングと、
前記リテーナ（１５）から離れた位置にあるユーザアクチュエータ（１７）と、
前記アクチュエータのユーザによる操作時に前記リテーナをディスクから外させるための手段を有するリリース手段（１５、１６）とを備えるケース。
【請求項２】
前記リテーナが、物品の中央孔の両側部で物品と係合するための２つの対向するリテーナ部分（３２）を有することを特徴とする請求項１に記載のケース。
【請求項３】
各リテーナ部分（３２）が、関連するアーム（３１）上に取り付けられ、かつ前記リリース手段が、前記アーム（３１）を互いにそれぞれ相手に向けて動かして物品を開放させるための手段（２５、３０）を有することを特徴とする請求項２に記載の装置。
【請求項４】
前記アームがインナアーム（３１）であり、前記リリース手段が前記インナアーム（３１）のそれぞれに接続されたアウタアーム（３２）を有し、前記アクチュエータが前記アウタアーム（３０）を互いに相手から離れるように押して、それにより前記インナアーム（３１）を共により近付けるように動かすための手段（２５）を有することを特徴とする請求項３に記載のケース。
【請求項５】
前記ユーザアクチュエータが、隅切りリンク（２５）により前記アウタアーム（３０）に結合された押しボタン（２０）を有し、前記押しボタン（２０）を押すことによって前記アウタアーム（３０）が押されて離反するようにしたことを特徴とする請求項４に記載のケース。
【請求項６】
前記ユーザアクチュエータ（１７）が、前記座部（１０）の縁に配置されていることを特徴とする請求項１乃至５のいずれかに記載のケース。
【請求項７】
前記リリース手段が、実質的に前記座部の平面内で前記リテーナ部分（３２）の動作を案内するためのガイド手段を有することを特徴とする請求項２または４に記載のケース。
【請求項８】
前記ガイド手段が、ヒンジ（４１）により前記各リテーナ部分（３２）に結合されかつヒンジ（４２）により前記座部に結合されたガイドアーム（４０）を有することを特徴とする請求項７に記載のケース。
【請求項９】
前記各ガイドアームが平面的にアーチ形をなし、かつその関連するリテーナ部分（３２）の横側に配置されていることを特徴とする請求項８に記載のケース。
【請求項１０】
前記リテーナ（５５）が、前記座部（６０）の隆起ボス部（６１）上に設けられていることを特徴とする請求項１乃至９のいずれかに記載のケース。
【請求項１１】
前記インナアーム（５４）が、前記隆起ボス部（６１）の輪郭に整合していることを特徴とする請求項４乃至１０のいずれかに記載のケース。
【請求項１２】
前記座部（６０）が更に、物品を前記座部から離れるように付勢するための手段からなるばね（６２）を有することを特徴とする請求項１乃至１１のいずれかに記載のケース。
【請求項１３】
前記ばねが、前記リテーナ（５５）に隣接していることを特徴とする請求項１２に記載のケース。
【請求項１４】
前記リテーナ（５５）の周囲に複数のばね（６２）が設けられていることを特徴とする請求項１３に記載のケース。
【請求項１５】
前記ばね（６２）が、前記座部（６０）から上向きに延長する一体型のアーム（６２）を有することを特徴とする請求項１２乃至１４のいずれかに記載のケース。
【請求項１６】
前記押しボタン（２０）が、前記ハウジングの隆起ボス部（２２）から片持ちに設けられていることを特徴とする請求項５乃至１４のいずれかに記載のケース。
【請求項１７】
前記座部が、前記ハウジングと一体であることを特徴とする請求項１乃至１６のいずれかに記載のケース。
【請求項１８】
前記座部が、前記ハウジングのヒンジ結合したカバーと一体であることを特徴とする請求項１７に記載のケース。
【請求項１９】
図１乃至図５に関連して実質的に明細書中に記載されているケース。
【請求項２０】
図６及び図７に関連して実質的に明細書中に記載されているケース。
【請求項２１】
図８に関連して実質的に明細書中に記載されているケース。
【発明の詳細な説明】
【技術分野】
【０００１】
本発明は、ＤＶＤ又はＣＤのようなディスク形状の物品を保持するためのケースに関する。
【背景技術】
【０００２】
米国特許第５７８８０６８号明細書には、このようなＤＶＤケースとしばしば呼ばれる装置が記載されている。このケースはヒンジ結合されたカバーを有し、一方のカバーにあるリテーナが、ＤＶＤとその中央孔で係合する。リテーナは、それぞれ片持ちアーム状の２つの部分を有する。ユーザがリテーナ部分を押し下げると、それらは互いにそれぞれ相手の方向に動いて、それらのリップがＤＶＤから外れる。この構成は、前記カバーの平面に対してある角度をもって延長する片持ちアームが要求されることから、複雑な成形工程が必要であると思われる。
【０００３】
仏国特許明細書第２７５３２９７号には、ディスクの孔に係合するための中央リテーナを有する装置が記載されている。弾性アームがディスク座部の下側をかつ外側へ前記座部の外縁まで延長している。このアームは、ディスクの外縁に係合するリップを有する。アームの端部を押し下げると、リップがディスクの外縁から外れてこれを開放する。この構成はかなり複雑であり、かつディスクの記録面をその外縁部において損傷する虞があると思われる。
【０００４】
また、先に公開された本願出願人によるＰＣＴ特許明細書番号ＰＣＴ／ＩＥ００／０００６９から、ディスク座部を組み込んだ引出しを有する装置を提供することが知られている。この引出しは、ディスクを開放するために引出しのハンドルにボタンを有する。このような装置は３つの主要部分、即ち後カバー、前カバー及び後カバー内で滑る引出しとを有する。より簡単な２部品または１部品構成が、そのような構成は損傷する虞が少なくかつより安価であることから、好ましい場合がある。
【発明の開示】
【発明が解決しようとする課題】
【０００５】
そこで、本発明は、最少の部品数で簡単な構造を有し、かつユーザがディスクの中央孔に直接関わることなくディスクを開放することができるケースを提供することを目的とする。
【課題を解決するための手段】
【０００６】
本発明によれば、中央孔を有する型式のディスク状物品を保持するためのケースであって、
ディスク状物品を保持するための座部を有し、前記座部が物品にその中央孔で係合するための手段を有する中央リテーナからなるハウジングと、
前記リテーナから離れた位置にあるユーザアクチュエータと、
前記アクチュエータのユーザによる操作時に前記リテーナをディスクから外させるための手段を有するリリース手段とを備えるケースが提供される。
【０００７】
或る実施例では、前記リテーナが、物品の中央孔の両側部で物品と係合するための２つの対向するリテーナ部分を有する。
【０００８】
別の実施例では、各リテーナ部分が、関連するアーム上に取り付けられ、かつ前記リリース手段が、前記アームを互いにそれぞれ相手に向けて動かして物品を開放させるための手段を有する。
【０００９】
更に別の実施例では、前記アームがインナアームであり、前記リリース手段が前記インナアームのそれぞれに接続されたアウタアームを有し、前記アクチュエータが前記アウタアームを互いに相手から離れるように押して、それにより前記インナアームを共により近付けるように動かすための手段を有する。
【００１０】
或る実施例では、前記ユーザアクチュエータが、隅切りリンクにより前記アウタアームに結合された押しボタンを有し、前記押しボタンを押すことによって前記アウタアームが押されて離反するようにした。
【００１１】
別の実施例では、ユーザアクチュエータが前記座部の縁に配置されている。
【００１２】
更に別の実施例では、前記リリース手段が、実質的に前記座部の平面内で前記リテーナ部分の動作を案内するためのガイド手段を有する。
【００１３】
或る実施例では、前記ガイド手段が、ヒンジにより前記各リテーナ部分に結合されかつヒンジにより前記座部に結合されたガイドアームを有する。
【００１４】
別の実施例では、前記各ガイドアームが平面的にアーチ形をなし、かつその関連するリテーナ部分の横側に配置されている。
【００１５】
更に別の実施例では、前記リテーナが前記座部の隆起ボス部上に設けられる。
【００１６】
或る実施例では、前記インナアームが前記隆起ボス部の輪郭に整合している。
【００１７】
別の実施例では、前記座部が更に、前記座部から物品を離れる向きに付勢するための手段からなるばねを有する。
【００１８】
更に別の実施例では、前記ばねが前記リテーナに隣接している。
【００１９】
或る実施例では、前記リテーナの周囲に複数のばねが取り付けられる。
【００２０】
別の実施例では、前記ばねが、前記座部から上向きに延長する一体型のアームを有する。
【００２１】
或る実施例では、前記押しボタンが、前記ハウジングの隆起ボス部２２から片持ちに設けられている。
【００２２】
別の実施例では、前記座部がハウジングと一体である。
【００２３】
更に別の実施例では、前記座部がハウジングのヒンジ結合されたカバーと一体である。
【発明を実施するための最良の形態】
【００２４】
本発明は、添付図面を参照しつつ、その単なる実施例として以下に記載された幾つかの実施態様の詳細な説明から、より明確に理解することができる。
【００２５】
図１及び図２に関し、本発明のＤＶＤケース１は、一体型ヒンジ４により前カバー３にヒンジ結合された後カバー２を有する。カバー２、３及びヒンジ４は、一体成形プラスチック構造を有し、従ってケース１は単一の成形品で構成される。カバー３、２は、それぞれスナップ嵌めロック部分５、６を有する。
【００２６】
後カバー２は、ＤＶＤを受けかつ保管するための丸い座部１０を有する。座部１０の周囲には、ＤＶＤを座部１０の所定位置に保持するのをより容易にするために４つの湾曲した突起１１が設けられ、それによりＤＶＤへの損傷を防止することをより容易にしている。また、後カバー２は、２つの傾斜した保安タブ１２を有し、図２に示すように一方が座部１０の上側にかつ他方が座部１０の下側に配置されている。タブ１２は、ＤＶＤが例えば店内で窃盗により許可無く取り外されることを防止するのに役立つ。ＤＶＤを許可無く座部１０から滑らせようとした場合、それが一方のタブ１２を押してそれをより大きく開かせて前カバー３を押すことになる。従って、この特徴は、ＤＶＤをその座部からケースの外に滑らせて、（その保安タブ付きの）ケースを店内に残すことによる店内での窃盗の問題に取り組む上で利益がある。
【００２７】
また、後カバーには、一体型のディスクリテーナと、リテーナ１５、リリースアーム１６及びリリースアクチュエータ１７からなるリリース機構とを有する。これらは図３、図４及び図５により詳細に示されている。明確に表示するために、座部１０の各部分間の隙間は、図３において陰線が付されている。
【００２８】
図３、図４及び図５に関し、リリースアクチュエータ１７は、片持ちのボタン２０を有し、該ボタン２０はこれを隆起ボス部２０に結合するヒンジとして機能するプラスチック材料２１の部分から延長している。これがボス部２２から延長しているので、ボタン２０は後カバー２の本体部分と概ね平行にかつそれより高い位置にある。一対の隅切りリンクまたはウィング２５がボタン２０の内端部を、後カバー２の本体部分の平面内にある一対の放射方向に延長するアウタアーム３０に結合している。アウタアーム３０は、一対の放射方向に延長するインナアーム３１と一体をなし、これは対向する一対のＤＶＤリテーナ部分３２とその端部で一体をなしている。
【００２９】
各リテーナ部分３２は、ＤＶＤの中央孔の縁部とスナップ嵌めで係合するためのリップ３３を有する。インナアーム３１の形状は、インナアーム３１を自然な元の位置（図３に示す）から強制的に一つにした場合にそれらが互いに離れる向きに付勢される際にその中心となるヒンジ結合部３４を提供するようになっている。ユーザがＤＶＤを座部１０内に押すことによって、リテーナ部分３２がその上側傾斜面によって互いに相手の向きに、リップ３３がＤＶＤとその縁でスナップ嵌めにより係合するまで、押される。この位置で、リテーナ部分３２（及びインナアーム３１）は、互いに前記元の位置から離れるように付勢され、従ってそれらによりＤＶＤが安全に把持される。インナアーム３１の端部は三日月状のガイドアーム４０により案内され、各ガイドアーム４０はヒンジ点４１においてインナアーム３１に、かつヒンジ点４２において座部１０の本体部分に結合されている。ガイドアーム４０の目的は、座部１０の平面内でインナアーム３１（及び従ってリテーナ部分３２）の動作を案内すること、及びＤＶＤを把持するための強度を追加することである。
【００３０】
ＤＶＤを座部１０から開放することは非常に簡単であり、ユーザがＤＶＤに触れることを要しない。ユーザは単にボタン２０を押し、リング２５を外側へより傾斜させるだけである。これによってアウタアーム３０を離れさせ、ヒンジ結合部３４を中心とした少しの回転によりインナアーム３１を共により近付く向きに動かす。この動作は、ＤＶＤをリップ３３から開放させかつ上向きに「ポン」と上げるのに充分である。このアーム３０、３１の動作は図３の矢印で示されている。
【００３１】
従って、本発明によれば、ＤＶＤ自体に触ることを要することなく、ＤＶＤを開放できることがわかる。これによって、ユーザが例えばディスクをリテーナから引っ張ることによりディスクの中央を損傷することがあるという現在の問題が減少する。単に座部の側部に配置されたボタンを押すことは、ユーザにとって直感的である。
【００３２】
また、ユーザが単にボタン２０を押すだけでよいということは、非常に簡単な操作である。更に、ＤＶＤはその周辺部に沿って把持されるのではなく、従ってこれを損傷する可能性が小さい。これは、単一の一体成形部品を有するケースにおいて達成され、従って製造コストが小さくかつケースへの損傷の虞が少ない。
【００３３】
図６及び図７に関し、別の後カバー５０の部分が示されている。図１乃至図５に示されるものと同様の部分には、同じ参照符号が表示されている。この実施例では、インナアーム５４が座部６０のリテーナ５５に結合されている。
【００３４】
リテーナ５５は、隆起ボス部６１上の座部６０の中央で高く設けられいる。３つの一体型のばねアーム６２が、ボス部６１の周囲に等間隔で配置され、ディスクをリテーナ部分３２により開放したときに、それがポンと上がる「ポップアップ」動作を補助する。また、材料のカットアウトパターンによって、図１乃至図５のアーム４０とは逆の意味で結合されたアーチ状ガイドアーム６４が形成される。これらは、その内端（前記押しボタンから最も遠い位置）においてリテーナ３２とヒンジ点７０で、及びその外端において座部６０の本体部分とボス部６１でヒンジ点７１で結合されている。これらは図７に最もよく示されている。このガイドアームの構造は、隆起ボス部６１と整合させるためにインナアーム５４の端部を上向きに傾斜させたとき、特に有効である。
【００３５】
図８に関し、別のケース８０が示されている。ケース８０は、ケース１のそれと広い意味で類似の構造を有する２部分のリテーナ８２を有する座部８１を備える。前記リテーナ部分はインナアーム８３上にあり、これは単一のアウタアーム８４と一体をなしている。アウタアーム８４は、押しボタン８５と一体をなす。押しボタン８５は、これを押したときにアウタアーム８４が放射方向外向きに引っ張られるように構成されている。この実施例では、前記リテーナ部分が次の動作により一緒に動かされる。即ち、ユーザがボタン８５を押して、アウタアーム８４を放射方向外向きに動かすこと、及びインナアーム８３を前記リテーナの遠い側の弾性固定部８６によって一緒に動かすことによる。
【００３６】
本発明は、上述した実施例に限定されるものではなく、その構造及び詳細な部分において様々に変形・変更することができる。例えば、前記座部及びリテーナは前記ハウジング（カバー）と一体でないようにすることができ、またその代わりにカバー内に固定されたインサート（挿入物）に設けることができる。また、前記両カバーは、２つまたはそれ以上の物品を収納するための座部及びリテーナを備えることができる。
【図面の簡単な説明】
【００３７】
【図１】本発明のケースを開けた状態で上から見た斜視図である。
【図２】ケースの平面図である。
【図３】リリース機構をより明確に示す、より詳細な拡大平面図である。
【図４】リリース機構のボタンをより詳細に示す斜視図である。
【図５】リリース機構のリテーナをより詳細に示す斜視図である。
【図６】別の実施例のケースの別のリテーナを示す平面図である。
【図７】リテーナをより詳細に示す部分断面斜視図である。
【図８】本発明の別の実施例の部分を示す斜視図である。
【国際公開パンフレット】
2005502552.tif 000003
2005502552.tif 000004
2005502552.tif 000005
2005502552.tif 000006
2005502552.tif 000007
2005502552.tif 000008
2005502552.tif 000009
2005502552.tif 000010
2005502552.tif 000011
2005502552.tif 000012
2005502552.tif 000013
2005502552.tif 000014
2005502552.tif 000015
2005502552.tif 000016
2005502552.tif 000017
2005502552.tif 000018
2005502552.tif 000019
2005502552.tif 000020
2005502552.tif 000021
2005502552.tif 000022
2005502552.tif 000023
【国際調査報告】
2005502552.tif 000024
2005502552.tif 000025